(57)【要約】【課題】本発明は環境負荷の心配のないＬＥＤを用いて電気的及び機械的施工が容易で種々のサイズに適応可能な照明装置を提供することを目的とする。【解決手段】所定の領域において、等間隔に搭載された発光素子からなる基板が千鳥格子状に配設され、基板を電気的に連続して接続させるように照明装置を構成する。【選択図】図１
2009238655.tif 000002
【特許請求の範囲】
【請求項１】
所定の領域において、
等間隔に搭載された発光素子からなる基板が千鳥格子状に配設され、
前記基板を電気的に連続して接続させたことを特徴とする照明装置。
【請求項２】
前記基板は、
同数の発光素子からなる第１の基板と、
前記第１の基板より少ない数量の発光素子からなる基板から
構成されていることを特徴とする請求項１に記載の照明装置。
【請求項３】
前記発光素子はＬＥＤであることを特徴とする請求項１または請求項２に記載の照明装置。
【発明の詳細な説明】
【技術分野】
【０００１】
本発明は、任意の閉領域を照明する照明装置に関する。
【背景技術】
【０００２】
現在のスロットマシンの内部照明には冷陰極管が広く使用されている。冷陰極管は電極の構造が簡単なため非常に細い形状の蛍光管が可能であり、狭い空間の照明に適しておりパソコン等の液晶バックライトとしても利用されている。
【０００３】
図６は一般的なスロットマシンを示す概略正面図である。スロットマシン１は内部のリール図柄が縦に３種類見えるように窓４が開いており、コイン投入口５にコインを入れ、レバー６を押すことでリール３が回転する。ストップボタン７で夫々のリールを停止させて窓４に表示された図柄が揃うとコインが払い戻される。また、スロットマシン１の下部には、キャラクター等の図柄が記載されたパネル２が配置されている。
【０００４】
図７はスロットマシン１の前面カバー１１を開いた状態である。前面下部パネル用照明８は、一般的にパネル２の裏面に配置される。
図３(a)は本体前面カバー１１を閉じた状態でのパネル２と前面下部パネル用照明８の位置関係を示す断面図である。前面下部パネル用照明８は冷陰極管が使用されており、パネル２の裏面の照明取り付け台座１２に取り付けられる。図３(b)はパネル２が取り外されたスロットマシン１の前面のイメージを示す。
【発明の開示】
【発明が解決しようとする課題】
【０００５】
上述した冷陰極管照明の場合、スロットマシン筐体の前面下部のパネルサイズに合わせた固定サイズの冷陰極管が使用されている。筐体サイズ変更等によるパネルサイズの変更時には新たなサイズの冷陰極管ランプユニットの開発が必要である。冷陰極管ランプユニットの開発費用を抑える為には同じサイズの冷陰極管ランプユニットを使用しなければならず、スロットマシンのデザイン変更に伴う筐体のサイズが制限されてしまう問題があった。
【０００６】
新サイズの冷陰極管ランプを開発する為には、開発費用や生産ライン立ち上げ・管理工数が必要であり、さらに新サイズの冷陰極管の電気的な仕様によっては新インバータの開発に同様の費用や工数が新たに発生することになる。又、冷陰極管には水銀が使用されているので、近年環境負荷の問題も指摘されるようになってきている。冷陰極管をＬＥＤに置き換えることも可能であるがＬＥＤは点光源の為、定められた領域を均等に照明することが難しい。
【０００７】
そこで、本発明は環境負荷の心配のないＬＥＤ（発光ダイオード）を用いて電気的及び機械的施工が容易で種々のサイズに適応可能な照明装置を提供することを目的とする。
【課題を解決するための手段】
【０００８】
本発明の照明装置は、所定の領域において、等間隔に搭載された発光素子からなる基板が千鳥格子状に配設され、前記基板を電気的に連続して接続させたことを特徴とする。
【発明の効果】
【０００９】
本発明によれば、電気的及び機械的施工が容易で種々のサイズに適応可能な照明装置を提供することができる。
【発明を実施するための最良の形態】
【００１０】
以下、図面を参照して本発明を実施するための最良の形態について詳細に説明する。まず、図１から５を参照して本発明の実施の形態の照明装置を説明する。図１は本発明の基本構成である、1個又は複数のＬＥＤを等間隔に実装された基板を電源及び電流又は電圧の制御線を含むケーブル等で接続されたものである。図１は両端の基板に1個、その間の基板に等間隔に３個のＬＥＤを配置した１例である。図１の構成の基本使用例を図２に示す。図２の様に複数のＬＥＤが実装された基板を、基板端に実装されたＬＥＤを互いに水平線及び垂直線上に重なるように、斜めに並行に配置する。また、両端の1個のＬＥＤが実装された基板は、そのＬＥＤが複数の基板の両端のＬＥＤと同じ水平線上でかつ、複数のＬＥＤが実装され板の配置上で両端にある基板上の端にあるＬＥＤの垂直線状に配置する。これにより、各ＬＥＤが千鳥配置となり、各ＬＥＤの照射光を補うことが可能となり、光ムラを低減できる。
【００１１】
図１の構成の応用使用例を図３と図４に示す。図３の様に図２の基本使用例と比較して基板間の水平方向の距離を変化させることにより、千鳥配置に近い配置を維持しながら、照射面であるパスロットマシン筐体の前面下部パネルサイズの水平方向の変更に対応することが可能となる。
【００１２】
また図４の様に図２の基本使用例と比較して基板の斜めの角度を変化させることにより、千鳥配置に近い配置を維持しながら、照射面であるスロットマシン筐体の前面下部パネルサイズの垂直方向の変更に対応することが可能となる。また、図３の基板の水平方向の距離変化と、図４の基板の角度の変化を組み合わせることにより、照射面であるスロットマシン筐体の前面下部パネルサイズの水平方向及び垂直方向の両方の変更に対応することが可能となる。基板にＬＥＤ複数個を直線状に実装し、そのＬＥＤが実装された複数枚の基板の配置位置を変えることにより、異なるサイズのスロットマシン筐体の前面下部パネルのバックライトとして共通化を可能とできる構成であり、スロットマシン筐体デザイン変更によるパネルサイズの変更時の新たな固定サイズのランプユニットの開発削減及びスロットマシン筐体の前面下部パネルサイズの制限の緩和という目的を果たすことが可能となる。
本発明の構成の応用例を図４に示す。本発明の構成は、図１のＬＥＤ実装数量固定ではなく、図４の様にＬＥＤ数量を増加させて構成し、それを千鳥配置にすることも可能である
図５（ａ）はＬＥＤを偶数個配置させた構成であり、図５（ｂ）はＬＥＤを奇数個配置させた構成である。
【図面の簡単な説明】
【００１３】
【図１】本発明の実施の形態のＬＥＤ照明装置の構成を説明するための模式図である。
【図２】本発明の実施の形態のＬＥＤ照明装置をスロットマシンに適用した図である。
【図３】本発明の実施の形態のＬＥＤ照明装置の配置パターンを説明するための模式図である。
【図４】本発明の実施の形態のＬＥＤ照明装置の配置パターンを説明するための模式図である。
【図５】本発明の実施の形態のＬＥＤ照明装置の配置パターンを説明するための模式図である。
【図６】従来技術のスロットマシン筐体の正面図である。
【図７】従来技術のスロットマシン筐体の内部を説明するための図である。
【図８】従来技術のスロットマシン筐体の内部を説明するための図である。
【符号の説明】
【００１４】
１  スロットマシン
２  パネル
３  リール
４  窓
５  コイン投入口
６  レバー
７  ストップボタン
８  パネル用照明
９  本体前面カバー
１０  カバー
１１  照明取り付け台座
２０  入力電源
２１  基板
２２  ケーブル
２３  ＬＥＤ
【図１】
2009238655.tif 000003
【図２】
2009238655.tif 000004
【図３】
2009238655.tif 000005
【図４】
2009238655.tif 000006
【図５】
2009238655.tif 000007
【図６】
2009238655.tif 000008
【図７】
2009238655.tif 000009
【図８】
2009238655.tif 000010